(57)【要約】【課題】脚立の天板に磁気板と穴を組み合わせて備え、工事中、使用の金属部材や工具類の落下紛失を防止する。【解決手段】両脚部１の連結部に蝶番を設けて回動する脚立の最上段の天板２に凹凸形状２ａ，２ｂを設け、その凹部内底面２ｂに磁気板３を設けると共に、天板２に設けた前記凸部にはドライバーなどの工具類を挿し込める穴７を設けて、天板の磁気板３と穴との組み合わせで金属類や工具類を落下させず工事作業の能率低下を予防する。【選択図】図１
0003118166.tif 000002
【実用新案登録請求の範囲】
【請求項１】
脚立の両脚の上部に設けた天板の平面に磁気を有する磁気板を設け、磁気板を設けた該天板の平面が開脚時に同一平面になるように構成したことを特徴とする磁気付脚立。
【請求項２】
脚立の天板を凹凸形状に形成し、該天板の凹部内底面に磁気板を設け、磁気板と凸部平面とが同一平面になるよう組み合わせたことを特徴とする請求項１に記載の磁気付脚立。
【請求項３】
天板の凹部内底面に設けた磁気板と天板の凸部が交互に構成されることを特徴とする請求項２に記載の磁気付脚立。
【請求項４】
脚立の天板の平面に設けた磁気板と天板に貫く穴を開けたことを特徴とする請求項１又は２に記載の磁気付脚立。
【請求項５】
天板を貫く穴７を該天板の凸部２ａに開けたことを特徴とする請求項２又は３に記載の磁気付脚立。
【請求項６】
天板に開けた穴７の下部に垂下して該天板の穴に挿しいれた工具類の倒れ防止用の筒体８を設けたことを特徴とする請求項４又は５に記載の磁気付き脚立。
【考案の詳細な説明】
【技術分野】
【０００１】
本考案は、工事用の金属部品類及び工具類が落下するのを防止できる磁気付天板を備えて工事作業能率が上がる脚立に関するものである。
【背景技術】
【０００２】
特許文献１〜８により公開された脚立は、脚立の脚を折り畳むことにより、収納や、運搬に際して場所を取らず、脚立を立ててその使用中には高所の作業を容易にする。しかし、脚立は高所の上がり降りのみには使用されず、脚立の梯子に作業用の歩み板を載せたり、又使用する工具類などを最上部に載せたりするので、ドライバー、ペンチ、ニッパー、ボルト、ナット、ワッシャーなどの工事用の金属部品類や工具類の落下が生じやすい。
【０００３】
しかし、脚立を立てると最上部には金属製品を一時的に固定できず、金属製品の取り扱いは、手作業になる場合が多く注意しないと作業中に高所から部品などが落下する危険が生じる。又、金属製品は落下すると極端に作業能率が低下する。脚立上部や作業者の腰に工具類や部品を十分に確保する必要があるが、不用意に部品や工具が手元から落下したりした。従来の脚立は、その上に上がって常に手で工事をする作業者は、両手が使えなくなって作業能率が低下し、不安定になるという欠点があった。
【０００４】
脚立の上部より金属製品の落下を防止し能率的に工事をようとする用途において、脚立上のこの欠点は脚立上での高所の作業性に関して大きな障害である。具体的には、脚立上では工具類や金属部品類の置き場がなく落下したりするなどの問題があった。
【０００５】
この改善策として、脚立の最上部に穴を開けてドライバーなどの工具類をその穴に入れたりする方法がある。しかしながらこの方法でも、螺子、ボルト、ナットなどの小さな部品類を脚立上で落下させないように置き場所を確保する必要がある。実際の作業に際して、脚立上では部品類や工具類を確保する場所が必要となる。脚立の最上部にケースを置いたり、口などで部品類を確保する別の方法もあるが、危険を伴う。このような危険は、小さい金属部品類や工具類を取り扱う工事の現場では作業能率を著しく低下させる原因となっている。
【特許文献１】特開２００５−１２６９０６号公報
【特許文献２】特開２００５−１２０６１８号公報
【特許文献３】特開２００３−２４７３３８号公報
【特許文献４】特開２００２−１３８７８３号公報
【特許文献５】特開２００１−１４０５６８号公報
【特許文献６】特開２０００−０２７５７２号公報
【特許文献７】特開平１１−０４４１６９号公報
【特許文献８】特開平０８−１９３４８１号公報
【考案の開示】
【考案が解決しようとする課題】
【０００６】
解決しようとする問題点は、脚立の最上段にある天板の平面には工事用部品類や工具類など金属製品を置くと落下を防止できない点である。
【課題を解決するための手段】
【０００７】
本考案は、脚立の最上段の天板の平面に置いた金属製品の落下を防止するため、脚立の最上段の天板に磁気板を貼り付けて磁気で吸着することを最も主要な特徴とする。
【考案の効果】
【０００８】
本考案の磁気付き脚立は、脚立の最上段の天板に磁気を帯びた磁気板を張り付けているので、工具類や、金属部品類を磁気板に吸着して置けるので、これら金属製品等の落下を防止し、作業者の両手が自由になり作業能率をよくするという利点がある。
【考案を実施するための最良の形態】
【０００９】
脚立の最上段の天板に貼り付けた磁気板に金属製品類を吸着して落下を防止するという目的を、天板に凹凸を形成して凹部内底面に磁気板を貼り付け金属類を磁気で吸着できる構成にしたので、作業者は脚立の上でも両手が使えて作業能率を損なわない。
【実施例１】
【００１０】
図１は、本考案装置の１実施例の断面図であって、図２は平面図、図３は凹凸形状の天板に磁気板を貼り付ける前のＡ−Ａ線縦断面を示す断面図、図４は凹凸形状にした天板の凹部内底面に磁気板を設けたＡ−Ａ線縦断面を示す断面図である。１は脚立の脚部、２は    凹凸形状にした天板、２ａは  凸部、  ２ｂは  凹部、  ３は  磁気板（磁石板）、  ４は  天板の周囲枠、５は  工具類、６は  金属部品類、７は    穴、８は  工具類の倒れ防止用の筒体である。
である。
【００１１】
凹凸形状にした天板２は、凹部２ｂの内底面に磁気板（磁石板）３を設けており、磁気板の平面は凸部２ａの平面に並び該凹部２ｂの底面に設けた磁気板３の磁気よって金属部品類６を吸着する。その凸部２ａの平面には穴７を設けて、穴の下部に垂下して天板２に穴に倒れ防止用の筒体８を設けており、これにより穴に挿しいれた工具類の倒れを防止する。本考案の主体は脚立の最上部の構造にあるので、脚部に設ける梯子の詳しい説明は省略する。
【００１２】
天板２は、天板の周囲枠４に設け、周囲枠は脚立の脚部１の最上部に設けて、脚上部に設けた周囲枠と天板、天板に設けた磁気板により最上段の天板部が構成されている実用的な例である。
【００１３】
上記の天板部の構造は、天板２に吸着用の磁気板３と工具５の落下防止用の穴７を備える。図２に示したように天板部は一対の天板２のそれぞれに脚部１が設けられてあり脚開閉は可能である。作業者にとって工事用の金属部品類や工具類の置き場を確保でき、高所での作業が容易になる。工具類５を天板２に開けた穴７より落下防止用の筒体８に挿しいれて、金属部品類６を磁気板３の上に置いて吸着させれば、いずれも落下防止の作用により作業能率が上がる効果がある。この作用効果は、脚立の天板の平面に設けた磁気板と天板に貫く穴を開けてもよい。
【００１４】
図１〜４の実施例は、凸部２ａには大中小の穴を設けて、脚立の天板に形成した凹部２ｂの内底面に磁気板を設けて、これらの磁気板と前記の穴を天板に交互に配置して、部品類を吸着させる磁気板とドライバー、ペンチ、ニッパー等の工具類を挿し込める穴とを構成したのでこれら金属製品の落下を防止し作業効率をよくするものである。
【産業上の利用可能性】
【００１５】
天板に形成した凹部の内底面に設けた磁気板の磁気を用いて金属部品類の吸着ができ、脚立を立てて工事を行う際に、工事用の金属部品類を扱う作業者にとって部品の落下を防止して作業能率をよくすることができるために部品類の取り扱いが不可欠な用途にも適用できる。天板に形成した凸部２ａの穴７に工具類を挿しいれて、作業者は両手が自由になり、金属部品類を扱う工事の際には脚立の上で作業をする者の姿勢の不安定を解消できる。本考案の磁気付き脚立は、建築業等一般に適用できる。
【図面の簡単な説明】
【００１６】
【図１】磁気付き脚立の使用状態を説明するＡ−Ａ線縦断面図である。（実施例１）
【図２】磁気付き脚立の平面図である。（実施例１）
【図３】磁気付き脚立の磁気板を設ける前のＡ−Ａ線縦断面図である。（実施例１）
【図４】磁気付き脚立の磁気板を設けた後のＡ−Ａ線縦断面図である。（実施例１）
【符号の説明】
【００１７】
１    脚立脚部
２    天板
３    磁気板（磁石板）
２ａ    凸部
２ｂ    凹部
４    天板の周囲枠
５    工具類
６    部品類
７    穴
８    倒れ防止用の筒体
【図１】
0003118166.tif 000003
【図２】
0003118166.tif 000004
【図３】
0003118166.tif 000005
【図４】
0003118166.tif 000006